(57)【要約】  【課題】従来の商品検索装置では、商品に対する第三者の興味の度合いを含むものではなかった。このため、前記利用者端末の利用者が購入希望の商品を該商品の在庫がある店舗に行った場合でも、同じ商品への興味の度合いが高い第三者が先に商品を購入し、自分は商品を購入できない可能性があった。  【解決手段】前記課題については、商品の在庫数と該商品が検索でヒットした回数を格納する記憶手段と、利用者端末から前記商品についての検索要求を受信した場合、前記記憶手段から在庫数と検索ヒット回数を抽出する手段と、前記在庫数と前記検索ヒット回数を含む検索結果情報を生成する手段と、前記検索結果情報を前記利用者端末に送信する手段と、を備えたことを特徴とする商品検索装置を提供することで解決される。【選択図】    図１
2006127129.tif 000002
【特許請求の範囲】
【請求項１】
商品の在庫数と該商品が検索でヒットした回数を格納する記憶手段と、
利用者端末から前記商品についての検索要求を受信した場合、前記記憶手段から在庫数と検索ヒット回数を抽出する手段と、
前記在庫数と前記検索ヒット回数を含む検索結果情報を生成する手段と、
前記検索結果情報を前記利用者端末に送信する手段と、
を備えたことを特徴とする商品検索装置。
【請求項２】
前記の該商品が検索でヒットした回数は、前記の該商品が検索でヒットした全回数から前記利用者端末からの検索要求による検索ヒット回数を除いたものであることを特徴とする請求項１記載の商品検索装置。
【請求項３】
前記の該商品が検索でヒットした回数は、定期的に初期化されるものであることを特徴とする請求項１記載の商品検索装置。
【請求項４】
前記商品の在庫数は、複数店舗のものであることを特徴とする請求項１記載の商品検索装置。
【請求項５】
利用者端末から前記商品についての検索要求を受信した場合、商品の在庫数と該商品が検索でヒットした回数を格納する記憶手段から在庫数と検索ヒット回数を抽出するステップと、
前記在庫数と前記検索ヒット回数を含む検索結果情報を生成するステップと、
前記検索結果情報を前記利用者端末に送信するステップと、
を備えたことを特徴とする商品検索方法。
【発明の詳細な説明】
【技術分野】
【０００１】
本発明は、商品の検索を行うための商品検索装置に関するものである。
【背景技術】
【０００２】
従来の商品検索装置は、利用者端末から商品についての検索要求を受信した場合、  商品の在庫数を考慮して商品を購入可能な店舗を抽出し、抽出した店舗を含む検索結果情報を利用者端末に送信するものだった。（例えば、特許文献１参照）
【特許文献１】特開２００２−８３１５３
【発明の開示】
【発明が解決しようとする課題】
【０００３】
前記商品検索装置の検索結果情報は、商品に対する第三者の興味の度合いを含むものではなかった。このため、前記利用者端末の利用者が購入希望の商品を該商品の在庫がある店舗に行った場合でも、同じ商品への興味の度合いが高い第三者に先に商品を購入され、自分は商品を購入できない可能性があった。
【課題を解決するための手段】
【０００４】
前記課題については、商品の在庫数と該商品が検索でヒットした回数を格納する記憶手段と、利用者端末から前記商品についての検索要求を受信した場合、前記記憶手段から在庫数と検索ヒット回数を抽出する手段と、前記在庫数と前記検索ヒット回数を含む検索結果情報を生成する手段と、前記検索結果情報を前記利用者端末に送信する手段と、を備えたことを特徴とする商品検索装置を提供することで解決される。
【発明の効果】
【０００５】
商品検索援装置において、前記の課題を解決するための手段を提供することで、前記商品検索装置の利用者は、購入を希望する商品の在庫数と該商品に対する第三者の興味の度合いを一度に確認することができる。このため、利用者は前記の在庫数と第三者の興味の度合いを考慮して店舗に行く時機を決定することができると言う効果があり、これにより、購入希望商品を同じ商品への興味の度合いが高い第三者先に購入されることなく、自分がその商品を購入する可能性を高めることができる。
【発明を実施するための最良の形態】
【０００６】
以下に、本発明による商品検索装置の実施形態を図１から図５により詳細に説明する。図１は本発明の実施形態を実現するためのシステム構成図である。同図において、利用者端末１０１と商品検索装置１０５は、プロセッサとメモリを備えるコンピュータである。
【０００７】
利用者端末１０１は、利用者がネットワーク１０３を通じて接続した商品検索装置１０５から提供される商品検索サービスとやり取りするためのものである。また、商品検索装置１０５は、ネットワーク１０３を通じて利用者端末１０１に対して商品検索サービスを提供するためのものであり、前記商品検索サービスを提供するための構成要素として商品ＤＢ１０７と検索履歴ＤＢ１０９と検索ヒット回数ＤＢ１１１と商品検索プログラム１１３と検索ヒット数回数初期化プログラム１１５を備えるものである。
【０００８】
商品ＤＢ１０７は、書籍コード、出版社、書籍名、作者、価格、在庫数を格納するものである。検索履歴ＤＢ１０９は、検索日時、利用者ＩＤ，キーワード、検索結果を格納するものである。検索ヒット回数ＤＢ１１０は、検索ヒット書籍名、検索ヒット回数、ヒット回数更新日時を格納するものである。
【０００９】
商品検索プログラム１１３は、利用者端末１０１からの商品検索要求に基づいて商品検索結果情報を提供するものである。検索ヒット回数初期化プログラム１１５は、検索ヒット回数ＤＢ１１１中の検索ヒット回数を定期的に初期化するものである。
【００１０】
図２は商品検索プログラム１１１の動作を説明するためのフローチャートである。図３は商品ＤＢ１０７と検索履歴ＤＢ１０９と検索ヒット回数ＤＢ１１１の構成を具体的な内容を開示するものである。
【００１１】
図３のＴ３０１は、商品ＤＢ１０７の例であり、書籍コード「４０００００００００」と出版社「理科研究社」と作者「廣畠  勉」と価格「８４０」と店舗名「中原書店」と在庫数「３」などの情報が格納されている。
【００１２】
図３のＴ３０３は、検索履歴ＤＢ１０９の例であり、検索日時「２００４１０１８−１３４５００」と利用者ＩＤ「ｈｉｒｏ」とキーワード「人体のヒミツ」と検索結果「人体のヒミツ」と店舗名「中原書店」、「蒲田書店」が格納されている。
【００１３】
図３のＴ３０５は、検索ヒット回数ＤＢ１１１の例であり、検索ヒット書籍名「人体のヒミツ」と検索ヒット回数「２」とヒット回数更新日時「２００４１０８１−１３４５５９」が格納されている。
【００１４】
図４は利用者が商品検索装置１０５から提供される商品検索サービスとやり取りするため際の利用者端末１０１の画面例である。
【００１５】
図４のＵ４０１は、商品検索装置１０５に商品検索要求を行うの利用者端末１０１の画面例である。図４のＵ４０３は、商品検索装置１０５から商品検索結果情報を受信した際の利用者端末１０１の画面例である。
【００１６】
図５は検索ヒット回数初期化プログラム１１５の動作を説明するためのフローチャートである。
【００１７】
ここで図２により、商品検索装置１０５にインストールされている商品検索プログラム１１３の動作を説明する。
【００１８】
商品検索プログラム１１３は、Ｓ２０１で利用者端末１０１からの商品検索要求を受信する。
【００１９】
前記商品検索要求は、図示していないが利用者端末１０１の識別情報と利用者ＩＤと検索のためのキーワードを含むものである。
【００２０】
図４のＵ４０１は、利用者が商品検索装置１０５による商品検索を行う際の利用者端末１０１の画面例であり、利用者「ｈｉｒｏ」が検索のためのキーワードとして「理科研究社」と「人体」を入力したことを表しているものである。
【００２１】
Ｓ２０３では、商品ＤＢ１０７から利用者端末１０１から受信したキーワードに対応する書籍名や価格、扱い店舗名、在庫数を含む商品情報を検索ヒット情報として抽出する。
【００２２】
Ｓ２０５では、検索ヒット回数ＤＢ１１１から前記書籍名に対応する検索ヒット回数を抽出する。
【００２３】
Ｓ２０６では、検索履歴ＤＢ１０９から前記商品検索要求を行った利用者自身が検索結果として前記書籍名をヒットさせた回数を抽出し、Ｓ２０５で抽出した検索ヒット数から前記利用者自身が検索結果として前記書籍名をヒットさせた回数を引くことで第三者の検索ヒット回数を算出する。
【００２４】
Ｓ２０７では、Ｓ２０３で抽出した商品情報とＳ２０６で算出した第三者の検索ヒット回数を含む商品検索結果情報を生成する。
【００２５】
Ｓ２０９では、Ｓ２０７で生成した商品検索結果情報を前記利用者端末１０１に送信する。
【００２６】
図４のＵ４０３は、利用者が商品検索装置１０５により商品検索を行った結果を確認する際の利用者端末１０１の画面例であり、検索結果として検索ヒット書籍名「人体のヒミツ」と該書籍名が所定期間内に検索の結果ヒットした回数と該書籍の在庫数を含む商品検索結果情報が商品検索装置１０５より送信されてことを表しているものである。
【００２７】
また、本発明における商品検索は検索結果により商品が存在するとされた店舗名を商品に関連付けて保存することにより、検索結果として出力された回数が多い店舗を利用者に優先的に表示してもよい。
【００２８】
ここで図５により、商品検索装置１０５にインストールされている検索ヒット回数初期化プログラム１１５の動作を説明する。
【００２９】
検索ヒット回数初期化プログラム１１３は、図示していないが商品検索装置１０５が備える時計管理機能により起動されるものであり、Ｓ５０１で商品検索装置１０５の管理者が別途設定した初期化基準を超過している検索ヒット回数ＤＢ１１１中のヒット回数更新日時を抽出する。
【００３０】
Ｓ５０３では、Ｓ５０１で抽出した初期化基準を超過しているヒット回数更新日時に対応する検索ヒット回数ＤＢ１１１中の検索ヒット回数を例えば０に初期化する。
【００３１】
なお、書籍の検索を例として実施形態は説明を行ったが、本発明はこれに限定されるものではなく、書籍以外の商品についての検索を行う場合にも有効なものである。
（付記１）（１）
商品の在庫数と該商品が検索でヒットした回数を格納する記憶手段と、
利用者端末から前記商品についての検索要求を受信した場合、前記記憶手段から在庫数と検索ヒット回数を抽出する手段と、
前記在庫数と前記検索ヒット回数を含む検索結果情報を生成する手段と、
前記検索結果情報を前記利用者端末に送信する手段と、
を備えたことを特徴とする商品検索装置。
（付記２）（２）
前記の該商品が検索でヒットした回数は、前記の該商品が検索でヒットした全回数から前記利用者端末からの検索要求による検索ヒット回数を除いたものであることを特徴とする付記１記載の商品検索装置。
（付記３）（３）
前記の該商品が検索でヒットした回数は、定期的に初期化されるものであることを特徴とする付記１記載の商品検索装置。
（付記４）（４）
前記商品の在庫数は、複数店舗のものであることを特徴とする付記１記載の商品検索装置。
（付記５）（５）
利用者端末から前記商品についての検索要求を受信した場合、商品の在庫数と該商品が検索でヒットした回数を格納する記憶手段から在庫数と検索ヒット回数を抽出するステップと、
前記在庫数と前記検索ヒット回数を含む検索結果情報を生成するステップと、
前記検索結果情報を前記利用者端末に送信するステップと、
を備えたことを特徴とする商品検索方法。
（付記６）
利用者端末から前記商品についての検索要求を受信した場合、商品の在庫数と該商品が検索でヒットした回数を格納する記憶手段から在庫数と検索ヒット回数を抽出するステップと、
前記在庫数と前記検索ヒット回数を含む検索結果情報を生成するステップと、
前記検索結果情報を前記利用者端末に送信するステップと、
をコンピュータに実行させるための商品検索プログラム。
（付記７）
利用者端末から前記商品についての検索要求を受信した場合、商品の在庫数と該商品が検索でヒットした回数を格納する記憶手段から在庫数と検索ヒット回数を抽出するステップと、
前記在庫数と前記検索ヒット回数を含む検索結果情報を生成するステップと、
前記検索結果情報を前記利用者端末に送信するステップと、
を実行させるためのプログラムを格納したコンピュータ読み取り可能な記憶媒体。
【図面の簡単な説明】
【００３２】
【図１】本発明の実施形態例のシステム構成を説明する図。
【図２】本発明の実施形態例の商品検索プログラムを説明する図。
【図３】本発明の実施形態例の商品ＤＢ、検索履歴ＤＢ、検索ヒット回数ＤＢを説明する図。
【図４】本発明の実施形態例の利用者端末画面例。
【図５】本発明の実施形態例の検索ヒット回数初期化プログラムを説明する図。
【符号の説明】
【００３３】
１０１  本発明の実施形態の利用者端末
１０３  本発明の実施形態のネットワーク
１０５  本発明の実施形態の商品検索装置
１０７  本発明の実施形態の商品ＤＢ
１０９  本発明の実施形態の検索履歴ＤＢ
１１１  本発明の実施形態の検索ヒット回数ＤＢ
１１３  本発明の実施形態の商品検索プログラム
１１５  本発明の実施形態の検索ヒット回数初期化プログラム
【図１】
2006127129.tif 000003
【図２】
2006127129.tif 000004
【図３】
2006127129.tif 000005
【図４】
2006127129.tif 000006
【図５】
2006127129.tif 000007